(57)【要約】【課題】  鉄骨柱を建て込む前であって、かつ、鉄骨柱が地上にある場合において、鉄骨柱を建て込む前に地上において、垂直ネットをクレーン等の重機を使用することなく、安全かつ簡便に、鉄骨梁を取付ける前に設置する垂直ネット先行設置手段を提供することである。【解決手段】  内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することを特徴とするスライダー部１０とスライダー収納部２０と取付具３０との組み合せ１００。【選択図】  図７
2020172847.tif 000002
【特許請求の範囲】
【請求項１】
内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することを特徴とするスライダー部１０とスライダー収納部２０と取付具３０との組み合せ１００。
【請求項２】
内管１１と外管２１が角パイプであって、内管１１が外管２１に対して距離ΔＬ（ｃｍ）毎に伸縮可能なように、内管１１には、２又は３以上の伸縮調節穴ｈ１が離隔距離ΔＬ（ｃｍ）毎に貫通されてなり、外管２１には、２つのストッパー穴ｈ２が離隔距離２ΔＬ（ｃｍ）に貫通されてなることを特徴とする請求項１に記載されたスライダー部１０とスライダー収納部２０と取付具３０との組み合せ１００。
【請求項３】
スライダー収納部２０が、スライダー部１０の一部を伸縮可能に収納する外管２１と当該外管２１に接合されてなる垂直板２２からなると共に、当該外管２１と垂直板２２とが溶接等により接合されてなることを特徴とする請求項１〜２の何れかに記載されたスライダー部１０とスライダー収納部２０と取付具３０との組み合せ１００。
【請求項４】
取付具３０が、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成されることを特徴とする請求項１〜３の何れかに記載されたスライダー部１０とスライダー収納部２０と取付具３０との組み合せ１００。
【請求項５】
内管１１と外管２１が角パイプであって、内管１１が伸び切った場合に、内管１１に２つのストッパー穴ｈ２、外管２１に２つのストッパー穴ｈ２が、貫通されてなると共に、２つのストッパー穴ｈ２の離隔距離が２ΔＬ（ｃｍ）であることを特徴とする請求項１〜４の何れかに記載されたスライダー部１０とスライダー収納部２０と取付具３０との組み合せ１００。
【請求項６】
伸縮調節穴ｈ１又は／及びストッパー穴ｈ２に、リベットピンｌｐを挿入して内管１１と外管２１が伸縮制限されてなることを特徴とする請求項１〜５の何れかに記載されたスライダー部１０とスライダー収納部２０と取付具３０との組み合せ１００。
【請求項７】
垂直板２２が垂直板収納凹部３１に収納された場合、垂直板２２が垂直板収納凹部３１を貫通してなるとともに、垂直板２２の下端のスナップピン穴ｈ３にスナップピンｐ３を挿入してなることを特徴とする請求項１〜６の何れかに記載されたスライダー部１０とスライダー収納部２０と取付具３０との組み合せ１００。
【請求項８】
スライダー収納部２０が、スライダー部１０を左側、又は、右側、又は、左右両側に取付けてなることを特徴とする請求項１〜７の何れかに記載されたスライダー部１０とスライダー収納部２０と取付具３０との組み合せ１００。
【請求項９】
請求項１〜８の何れかに記載されたスライダー部１０とスライダー収納部２０と取付具３０との組み合せに、垂直ネットを加えた組合せを特徴とする請求項１〜８の何れかに記載されたスライダー部１０とスライダー収納部２０と取付具３０との組み合せ１００。
【請求項１０】
鉄骨柱（角柱）Ｐ，Ｐ’を建て込む前であって、かつ、鉄骨柱（角柱）Ｐ，Ｐ’が地上にある場合において、鉄骨柱（角柱）Ｐ，Ｐ’を建て込む前に地上において、クレーン等の重機を使用することなく全て手作業で先行設置手段（スライダー部１０とスライダー収納部２０と取付具３０との組み合せ１００。）を使用して垂直ネットを設置することによって、安全かつ簡便に、鉄骨柱（角柱）Ｐ，Ｐ’を建て込む前に垂直ネットを鉄骨柱（角柱）に設置することを特徴とする垂直ネット先行設置方法。
【請求項１１】
先行設置手段を使用して地上において垂直ネットを設置した鉄骨柱（角柱）Ｐ，Ｐ’を、地上において鉄骨柱Ｐ，Ｐ’に取付けた取付部３０が外側（建物外構側）となるように建て込むことを特徴とする請求項１０に記載された垂直ネット先行設置方法。
【請求項１２】
前記垂直ネットの内部で、鉄骨梁Ｂを架設することを特徴とする請求項１１に記載された垂直ネット先行設置方法。
【請求項１３】
鉄骨梁Ｂを架設した鉄骨柱Ｐ，Ｐ’の被覆ワイヤー用フックに被覆ワイヤーを取り付け、垂直ネットをスライダー部１０から被覆ワイヤーに付け替えることを特徴とする請求項１２に記載された垂直ネット先行設置方法。
【請求項１４】
垂直ネットが取り外されたスライダー部１０とスライダー収納部２０とを鉄骨柱Ｐ，Ｐ’から手作業で取り外し、クレーンで吊り下ろすことを特徴とする請求項１３に記載された垂直ネット先行設置方法。
【請求項１５】
先行設置手段（スライダー部１０とスライダー収納部２０と取付具３０との組み合せ１００）が、請求項１〜９の何れかに記載された先行設置手段（スライダー部１０とスライダー収納部２０と取付具３０との組み合せ１００）であることを特徴とする請求項１０〜１４の何れかに記載された垂直ネット先行設置方法。
【発明の詳細な説明】
【技術分野】
【０００１】
本発明は、スライダー部とスライダー収納部と取付具との組み合せに関する。
【背景技術】
【０００２】
建設現場において、ボルト、工具等の敷地外への落下防止のために建築物の外側構面に垂直ネットが設置されることがある。垂直ネットは鉄骨柱間に張った被覆ワイヤーに取り付けられるが、鉄骨梁が取り付けられていないと隣接する鉄骨柱間に被覆ワイヤーを架け渡すことが困難であり、また、鉄骨梁架設作業の障害になるおそれがあるため、垂直ネットは鉄骨梁を架設した後に設置されることが多い。
鉄骨建方作業において、外周部の鉄骨梁を取り付ける際には垂直ネットが設置されていないため、ボルトや工具等が落下すると、建設敷地内のみならず、外部に落下することがあり、工事関係者だけでなく、歩行者や通行車両等の第三者にとっても危険であった。
【０００３】
特許文献１には、鉄骨梁を取り付ける前に垂直ネットを設置する垂直ネット先行設置工法を提供する発明が記載されており、垂直ネット先行設置工法は、「鉄骨柱の頂部に、該鉄骨柱の外周から突出する固定部を有する垂直ネット設置治具を取り付ける工程（第１の工程）、図９を参照」と「前記鉄骨柱を、前記固定部が外側となるように建て込む工程（鉄骨柱建込み工程）」とからなる。そして、「垂直ネットが固定された棒部材の両端それぞれを、隣接する前記鉄骨柱の前記固定部に取り付ける工程（第２の工程），図１０を参照」とからなる。
第１の工程は、鉄骨柱が地上にある場合に、地上で手作業により行うことができるが、
鉄骨柱建込み工程は、改良を必要としない工程（図１１を参照）である。
第２の工程は、鉄骨柱建込み工程の後の工程で鉄骨柱を建て込んだ後であり、建て込んだ鉄骨柱は地上にはないため、地上での手作業により安全かつ簡便に行うことは到底できないという従来技術の欠点を有していた（図１０を参照）。
また、垂直ネットが固定された棒部材の両端それぞれを、隣接する前記鉄骨柱の前記固定部に取り付ける工程（第２の工程）は、クレーン等の重機を必要とするので、地上でかつ手作業にて安全かつ簡便に行うことはできないという従来技術の欠点を有していた（図１０を参照）。
さらに、「鉄骨柱の頂部に、該鉄骨柱の外周から突出する固定部を有する垂直ネット設置治具を取り付ける工程（第１の工程）」を採用すると、鉄骨柱の頂部に、垂直ネット設置治具を溶接等で取り付ける必要があり、かつ、鉄骨柱Ｐ上に上節柱となる別の鉄骨柱を接合するためには、鉄骨柱の頂部に取付けられた、該鉄骨柱の外周から突出する固定部を有する垂直ネット設置治具を取り除く工程が必要となるが、当該、鉄骨柱の頂部に取付けられた、該鉄骨柱の外周から突出する固定部を有する垂直ネット設置治具を取り除く工程は、クレーン等の重機を必要とし、鉄骨柱の頂部に、溶接等で取付けられた垂直ネット設置治具を取り除くことは煩雑であり、地上でかつ手作業にて安全かつ簡便に行うことはできないという従来技術の欠点を有していた（図１２を参照）。
上記［背景技術］については、特開２０１６−２１１２３４号公報に記載の［背景技術］を参照した。
発明者は、かかる従来技術の欠点に鑑み鋭意研究した結果、本発明を完成させた。
【先行技術文献】
【特許文献】
【０００４】
【特許文献１】特開２０１６−２１１２３４号公報
【発明の概要】
【発明が解決しようとする課題】
【０００５】
○本発明が解決しようとする第１課題
本発明が解決しようとする第１課題は、
鉄骨柱を建て込む前であって、かつ、鉄骨柱が地上にある場合において、鉄骨柱を建て込む前に地上において、垂直ネットをクレーン等の重機を使用することなく、安全かつ簡便に、鉄骨梁を取付ける前に設置する垂直ネット先行設置手段を提供することである。
○本発明が解決しようとする第２課題
本発明が解決しようとする第２課題は、
鉄骨柱を建て込む前であって、かつ、鉄骨柱が地上にある場合において、鉄骨柱を建て込む前に地上において、垂直ネットをクレーン等の重機を使用することなく、安全かつ簡便に、鉄骨梁を取付ける前に設置する垂直ネット先行設置手段を提供することである。
○本発明が解決しようとする第３課題
本発明が解決しようとする第３課題は、
さらに、鉄骨柱の頂部に取付けられた、該鉄骨柱の外周から突出する固定部を有する垂直ネット設置治具（本発明のスライダー部１０とスライダー収納部２０に相当する。）を取り除く工程の替わりに、垂直ネット設置治具を、クレーン等の重機を使用することなく、鉄骨柱に取付けられた垂直ネット設置治具を取り除く作業を手作業にて安全かつ簡便に行うことができる垂直ネット先行設置手段を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○ｘｙｚ座標系とは、本発明において適用される座標系をいい、ｘ、ｚ方向が水平方向で、ｙ方向が垂直（反重力、上）方向である。ｘ方向が右方向（−ｘ方向が左方向）、ｚ方向が手前方向である（鉄骨柱（角柱）が建て込まれた状態における図６、図７でｘｙｚ座標系を定義する。）。
ただし、鉄骨柱（角柱）が地上にある場合において、本発明に係る、先行設置手段を鉄骨柱（角柱）に設置する工程の状態図においては、ｘ方向、ｙ方向は、水平方向であり、ｚ方向は垂直（反重力）方向である（図６）。
鉄骨柱（角柱）が地上にある場合において、本発明に係る、先行設置手段を鉄骨柱（角柱）に設置した後に、先行設置手段に垂直ネットを取付ける工程の状態図においても、ｘ方向、ｙ方向は、水平方向であり、ｚ方向は垂直（反重力）方向である（図７）。
図２（Ａ）図、図３上図、図４（Ａ）図、図４（Ｂ）図、図５（Ｂ）図においては、鉄骨柱（角柱）が建て込まれた状態における図６、図７で定義したｘｙｚ座標系に対応させる。
すなわち、図２（Ａ）図、図３上図、図４（Ａ）図、図４（Ｂ）図、図５（Ｂ）図では、ｘ方向が紙面視左側から右側方で、ｙ方向が紙面視下側から上側方で、ｚ方向が紙面視紙背側から紙面蛾輪である。これにより、請求項８に記載の「左側」、「右側」、「両側」の内容は明確になっている。
○内管１１とは、スライダー部１０の構成要素であって、スライダー収納部２０の構成要素である外管２１によって、当該内管１１の一部が伸縮可能に収納される。
内管１１には、内管１１が外管２１に対して伸縮可能なように、距離ΔＬ（ｃｍ）毎離れたストッパー穴ｈ２が２以上又は３以上貫通されてなる。
○スライダー部１０とは、本発明の構成要素であって、本発明であるスライダー部１０とスライダー収納部２０と取付具３０との組み合せ１００（以下、単に「本発明」という。）の構成要素であって、スライダー収納部２０の構成要素である外管２１によって、当該内管１１の一部が伸縮可能に収納される。
○外管２１とは、スライダー収納部２０の構成要素であって、スライダー部１０の構成要素である内管１１の一部を伸縮可能に収納する。
外管２１には、内管１１が外管２１に対して伸縮可能なように、距離２ΔＬ（ｃｍ）離れた２つのストッパー穴ｈ２が貫通されてなる。
○スライダー収納部２０（単に、「収納部２０」ともいう。）とは、本発明の構成要素であって、外管２１と垂直板２２とからなり、垂直板２２と外管２１とは（溶接等により）接合されてなる。
スライダー収納部２０には、スライダー部１０の取付け方法によって、左側タイプ、右側タイプ、（左右）両側タイプの３種類のタイプが有る。
スライダー収納部２０（左側タイプ）は、スライダー部１０を左側に取付けてなり、  スライダー収納部２０（右側タイプ）は、スライダー部１０を右側に取付けてなり、スライダー収納部２０（両側タイプ）は、スライダー部１０を左右両側に取付けてなる。
○角柱Ｐは、鉄骨材（角パイプ）を垂直に建てて建築物の支え（ささえ）としたものをいう。
○取付具３０とは、本発明の構成要素であって、スライダー部１０とスライダー収納部２０を角柱Ｐに取付けるための手段をいい、垂直板２２が収納される垂直板収納凹部３１を有する。
より具体的には、取付具３０は、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成される。
○スライダー部１０とスライダー収納部２０と取付具３０との組み合せ１００（単に、「組合せ１００」、あるいは、「組合せ」ともいう。）は、鉄骨梁を取付ける前に設置する垂直ネット先行設置手段であって、スライダー部１０とスライダー収納部２０と取付具３０との組み合せ１００であることを明確化した。
○角パイプとは、ＪＩＳ  Ｇ  ３４６６  一般構造用角形鋼管（ＳＴＫＲ４００，ＳＴＫＲ４９０）に適合した角形鋼管（２００角未満）である。  建築部材はもちろん、建設機械、産業機械のフレーム等、幅広い用途に使用できる。
○伸縮調節穴ｈ１とは、内管１１に、距離ΔＬ（ｃｍ）毎に対応して貫通されてなる伸縮調節穴をいい、内管１１が外管２１に対して、距離ΔＬ（ｃｍ）毎に伸縮可能なように調節される。
伸縮調節穴ｈ１とストッパー穴ｈ２は内径は同じであるが、隣接する前者同士の離隔距離が離ΔＬ（ｃｍ）であるのに対して、隣接する後者同士の離隔距離が離２ΔＬ（ｃｍ）であるので離隔距離は２倍相違する。
この理由は、後述の＜内管１１が外管２１に対して伸び切った状態において、２つのストッパー穴ｈ２の離隔距離が大きくしてある理由＞…図１４を参照を参照すれば、ストッパー穴ｈ２の離隔距離が大きくすることによって、垂直ネット荷重Ｑ（ｋｇ重）に起因してストッパー穴ｈ２に作用する荷重Ｑ１（ｋｇ重）、荷重Ｑ２（ｋｇ重）を少なくなるからである。
隣接する伸縮調節穴ｈ１同士の離隔距離を小さくするのは、内管１１の伸縮量を細かく調節できるようにするためである。
内管１１の伸縮調節穴ｈ１は、内管１１を伸ばしていけば、外管２１から露出するのに対して（伸ばし切った状態では、内管１１の伸縮調節穴ｈ１が外管２１から露出する。）、内管１１のストッパー穴ｈ２は外管２１の中に収納されたままであるという相違点がある。
○リベットピンｌｐとは、内管１１の伸縮調節穴ｈ１又はストップ穴ｈ２と外管２１のストップ穴ｈ２の位置を合わせ両穴に差し込んで内管１１と外管２１の位置を固定する部品である。
○スナップピン穴ｐ３とは、スライダー収納部２０の垂直板２２の下方のｘ方向に貫通された穴で、スライダー収納部２０の垂直板２２を取付具３０の垂直板収納凹部３１に収納させた後、スナップピン穴ｐ３に、スナップピンｓｐを挿入して、取付具３０からスライダー収納部２０が抜け出るのを防止する。
○スナップピンｓｐとは、取付具３０からスライダー収納部２０が抜け出るのを防止するために、スナップピン穴ｐ３に挿入する部品である。
○内管１１のストッパー穴ｈ２、外管２１のストッパー穴ｈ２について
（１）内管１１が、外管２１に対して伸縮可能な場合
内管１１の外管２１に対する位置が調節可能になるように、離隔距離ΔＬ（ｃｍ）毎離れた内管１１の２つの伸縮調節穴ｈ１（２つの伸縮調節穴ｈ１の離隔距離は、２ΔＬ（ｃｍ）である。）と離隔距離２ΔＬ（ｃｍ）離れた外管２１の２つのストッパー穴ｈ２の中心が合わされ、リベットピンｌｐを挿入して一対の穴の位置が固定される。
（２）内管１１が、外管２１に対して伸び切った場合
内管１１の縮む側の２つのストッパー穴ｈ２と外管２１の２つのストッパー穴ｈ２の中心が合わされ、リベットピンｌｐを挿入して一対の穴の位置が固定される（図１４）。
○垂直板２２が垂直板収納凹部３１に収納された場合について
垂直板２２が垂直板収納凹部３１収納された場合、垂直板２２が垂直板収納凹部３１を貫通してなるとともに、垂直板２２の下端のスナップピン穴ｈ３にスナップピンｐ３を挿入してなる（図示せず。）。
＊＊＊＊＊＊＊＊＊＊＊＊＊＊＊＊＊＊＊＊＊＊＊＊＊＊＊＊＊＊＊＊＊＊＊
＜記号の説明＞
○ΔＬ（ｃｍ）とは、内管１１の位置が、外管２１に対して、伸縮可能な距離又は長さ（ｃｍ）をいい、ΔＬ（ｃｍ）毎に伸縮可能である。
ΔＬ（ｃｍ）とは、内管１１の隣接する伸縮調節穴ｈ１同士の離隔距離をいう。また、内管１１の隣接する伸縮調節穴ｈ１とストッパー穴ｈ２の離隔距離をいう。
すなわち、内管１１に伸縮調節穴ｈ１が、距離ΔＬ（ｃｍ）毎に貫通されてなり、外管２１に伸縮調節穴ｈ１が、距離ΔＬ（ｃｍ）毎に対応して貫通されてなる。
さらに、内管１１の縮まる側に２つのストッパー穴ｈ２の離隔距離が２ΔＬ（ｃｍ）に貫通されてなり、外管２１にストッパー穴ｈ２の離隔距離が２ΔＬ（ｃｍ）に貫通されてなり）、内管１１のストッパー穴ｈ２は、外管２１にストッパー穴ｈ２に位置対応して収納される。
○２ΔＬ（ｃｍ）とは、内管１１のストッパー穴ｈ２の離隔距離をいう。
２ΔＬ（ｃｍ）とは、外管２１のストッパー穴ｈ２の離隔距離をいう。
○Ｈ（ｃｍ）とは、取付具３０を構成する、角柱接触板３０１、角柱接触板３０１と直交する側板３０２と角柱接触板３０１と平行な前面板３０３の高さが共に、Ｈ（ｃｍ）である。
上記の場合、取付具３０は一辺がＨ（ｃｍ）の板から、角柱接触板３０１と側板３０２と前面板３０３の境界線で山折り又は谷折りされて、製造される。
＊＊＊＊＊＊＊＊＊＊＊＊＊＊＊＊＊＊＊＊＊＊＊＊＊＊＊＊＊＊＊＊＊＊＊
＜内管１１が外管２１に対して伸び切った状態において、２つのストッパー穴ｈ２の離隔距離が大きくしてある理由＞…図１４を参照
内管１１には、２又は３以上の伸縮調節穴ｈ１と２つのストッパー穴ｈ２が貫通されてなり、伸縮調節穴ｈ１は、伸縮調節穴ｈ１同士の離隔距離ΔＬ（ｃｍ）毎に貫通されてなる。
伸縮調節穴ｈ１とストッパー穴ｈ２の離隔距離は、ΔＬ（ｃｍ）であるが、２つのストッパー穴ｈ２の離隔距離は、２ΔＬ（ｃｍ）と、伸縮調節穴ｈ１同士の離隔距離ΔＬ（ｃｍ）よりも、大きくしてある。
一方、  外管２１には、２つのストッパー穴ｈ２が１対（図４（Ａ）図又は図４（Ｂ）図）又は２対（図３）貫通されてなり、２つのストッパー穴ｈ２の離隔距離は、２ΔＬ（ｃｍ）と大きくしてある。
内管１１の２つのストッパー穴ｈ２が、外管２１の２つのストッパー穴ｈ２の位置が一致するように外管２１の中に納まるようにしてある。内管１１の２つのストッパー穴ｈ２と外管２１の２つのストッパー穴ｈ２に、リベットピンｌｐを挿入して内管１１と外管２１が伸縮制限されてなる。
２つのストッパー穴ｈ２の離隔距離が大きくしてある理由は、
内管１１のネット取付具１２には、垂直ネットの（自重）荷重Ｑ（ｋｇ重）が作用し、この荷重をストッパー穴ｈ２に作用する荷重Ｑ１（ｋｇ重）と荷重Ｑ２（ｋｇ重）で支える。
荷重Ｑ２（ｋｇ重）が作用するストッパー穴ｈ２の回りのモーメントの釣合と垂直方向の力の釣合を考えれば、下式が成立する。
Ｑ×ΔＬ×９＝Ｑ１×２ΔＬ……（Ａ）式
Ｑ＋Ｑ１＝Ｑ２……（Ｂ）式
Ａ）式、（Ｂ）式より、Ｑ１＝４．５Ｑ、Ｑ２＝５．５Ｑとなる。
ストッパー穴ｈ２に作用する荷重Ｑ１（ｋｇ重）と荷重Ｑ２（ｋｇ重）はかなり大きな値である。
２つのストッパー穴ｈ２の離隔距離は、２ΔＬ（ｃｍ）をΔＬ（ｃｍ）とすれば、Ｑ１＝９Ｑ、Ｑ２＝１０Ｑとなる。
すなわち、内管１１が外管２１に対して伸び切った状態における強度面の安全性を向上させるためには、内管１１が外管２１に対して伸び切った状態において、２つのストッパー穴ｈ２の離隔距離が大きくする必要がある。
＊＊＊＊＊＊＊＊＊＊＊＊＊＊＊＊＊＊＊＊＊＊＊＊＊＊＊＊＊＊＊＊＊＊＊
＜鉄骨構造工程の説明＞
Ｓ１：鉄骨柱（角柱）が地上にある場合において、先行設置手段を使用して垂直ネットを設置する工程
鉄骨柱（角柱）を建て込む前であって、かつ、鉄骨柱（角柱）が地上にある場合において、鉄骨柱（角柱）を建て込む前に地上において、クレーン等の重機を使用することなく全て手作業で先行設置手段を使用して垂直ネットを設置することによって、安全かつ簡便に、鉄骨柱（角柱）を建て込む前に垂直ネットを鉄骨柱（角柱）に設置する先行設置手段を提供すること（すなわち、本発明の第１〜第３課題）を達成することができた。
Ｓ２：鉄骨柱（角柱）建込み工程
先行設置手段を使用して地上において垂直ネットを設置した鉄骨柱（角柱）を、地上において鉄骨柱に取付けた取付部が外側（建物外構側）となるように建て込む。当該工程は、従来と違って、垂直ネットを設置した鉄骨柱をクレーンで吊って建て込む。
鉄骨柱（角柱）建込み工程が完了した場合には、垂直ネットは既に鉄骨柱に設置されている。
Ｓ３：前記垂直ネットの内部で、鉄骨梁を架設する工程
鉄骨柱に鉄骨梁を架設する前に、Ｓ２：鉄骨柱（角柱）建込み工程において、垂直ネットを地上で設置することができる。垂直ネットを設置した後に鉄骨梁を架設するため、鉄骨梁架設時にボルトや工具等が落下しても、建設敷地外の歩行者や通行車両の上に落下することはない。
Ｓ４：前記鉄骨柱にワイヤーを取り付け、前記垂直ネットを前記棒部材から前記ワイヤーに付け替える工程
鉄骨梁Ｂを架設した鉄骨柱Ｐの被覆ワイヤー用フックに被覆ワイヤーを取り付け、垂直ネットをスライダー部１０から被覆ワイヤーに付け替える。
Ｓ５：スライダー部１０とスライダー収納部２０とを前記鉄骨柱から取り外す工程
垂直ネット４が取り外されたスライダー部１０とスライダー収納部２０とを鉄骨柱２から手作業で取り外し、クレーンで吊り下ろす。従来用いられている被覆ワイヤーに垂直ネットを付け替え、スライダー部１０を取り除くこと、及び、鉄骨柱Ｐからスライダー収納部２０を取り外すことで、次の鉄骨柱（角柱）建込み工程において、再使用することができ省資源、省エネルギーに貢献し、コスト低減を図ることができる。
このようにして、鉄骨柱Ｐ上に上節柱となる別の鉄骨柱を接合することができる。この別の鉄骨柱に本発明の垂直ネット先行設置工法を適用しながら、鉄骨柱を積み上げることにより、高層建築物を建設することができる。
課題を解決するための手段は、本願の特許請求の範囲の各請求項に記載の発明であり、その具体的な解決手段は、以下の通りである。
○第１の発明（請求項１に記載の発明）  
上記の課題を解決するための第１の発明（請求項１に記載の発明）は、
内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することを特徴とするスライダー部１０とスライダー収納部２０と取付具３０との組み合せ１００である。
○第２の発明（請求項２に記載の発明）  
上記の課題を解決するための第２の発明（請求項２に記載の発明）は、
内管１１と外管２１が角パイプであって、内管１１が外管２１に対して距離ΔＬ（ｃｍ）毎に伸縮可能なように、内管１１には、２又は３以上の伸縮調節穴ｈ１が離隔距離ΔＬ（ｃｍ）毎に貫通されてなり、外管２１には、２つのストッパー穴ｈ２が離隔距離２ΔＬ（ｃｍ）に貫通されてなることを特徴とする請求項１に記載されたスライダー部１０とスライダー収納部２０と取付具３０との組み合せ１００である。
○第３の発明（請求項３に記載の発明）
上記の課題を解決するための第３の発明（請求項３に記載の発明）は、
スライダー収納部２０が、スライダー部１０の一部を伸縮可能に収納する外管２１と当該外管２１に接合されてなる垂直板２２からなると共に、当該外管２１と垂直板２２とが溶接等により接合されてなることを特徴とする請求項１〜２の何れかに記載されたスライダー部１０とスライダー収納部２０と取付具３０との組み合せ１００である。
○第４の発明（請求項４に記載の発明）
上記の課題を解決するための第４の発明（請求項４に記載の発明）は、
取付具３０が、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成されることを特徴とする請求項１〜３の何れかに記載されたスライダー部１０とスライダー収納部２０と取付具３０との組み合せ１００である。
○第５の発明（請求項５に記載の発明）
上記の課題を解決するための第５の発明（請求項５に記載の発明）は、
内管１１と外管２１が角パイプであって、内管１１が伸び切った場合に、内管１１に２つのストッパー穴ｈ２、外管２１に２つのストッパー穴ｈ２が、貫通されてなると共に、２つのストッパー穴ｈ２の離隔距離が２ΔＬ（ｃｍ）であることを特徴とする請求項１〜４の何れかに記載されたスライダー部１０とスライダー収納部２０と取付具３０との組み合せ１００である。
○第６の発明（請求項６に記載の発明）
上記の課題を解決するための第６の発明（請求項６に記載の発明）は、
伸縮調節穴ｈ１又は／及びストッパー穴ｈ２に、リベットピンｌｐを挿入して内管１１と外管２１が伸縮制限されてなることを特徴とする請求項１〜５の何れかに記載されたスライダー部１０とスライダー収納部２０と取付具３０との組み合せ１００である。
○第７の発明（請求項７に記載の発明）
上記の課題を解決するための第７の発明（請求項７に記載の発明）は、
垂直板２２が垂直板収納凹部に３１収納された場合、垂直板２２が垂直板収納凹部３１を貫通してなるとともに、垂直板２２の下端のスナップピン穴ｈ３にスナップピンｐ３を挿入してなることを特徴とする請求項１〜６の何れかに記載されたスライダー部１０とスライダー収納部２０と取付具３０との組み合せ１００である。
○第８の発明（請求項８に記載の発明）
上記の課題を解決するための第８の発明（請求項８に記載の発明）は、
スライダー収納部２０が、スライダー部１０を左側、又は、右側、又は、左右両側に取付けてなることを特徴とする請求項１〜７の何れかに記載されたスライダー部１０とスライダー収納部２０と取付具３０との組み合せ１００である。
○第９の発明（請求項９に記載の発明）
上記の課題を解決するための第９の発明（請求項９に記載の発明）は、
請求項１〜８の何れかに記載されたスライダー部１０とスライダー収納部２０と取付具３０との組み合せに、垂直ネットを加えた組合せを特徴とする請求項１〜８の何れかに記載されたスライダー部１０とスライダー収納部２０と取付具３０との組み合せ１００である。
○第１０の発明（請求項１０に記載の発明）
上記の課題を解決するための第１０の発明（請求項１０に記載の発明）は、
鉄骨柱（角柱）Ｐ，Ｐ’を建て込む前であって、かつ、鉄骨柱（角柱）Ｐ，Ｐ’が地上にある場合において、鉄骨柱（角柱）Ｐ，Ｐ’を建て込む前に地上において、クレーン等の重機を使用することなく全て手作業で先行設置手段（スライダー部１０とスライダー収納部２０と取付具３０との組み合せ１００。）を使用して垂直ネットを設置することによって、安全かつ簡便に、鉄骨柱（角柱）Ｐ，Ｐ’を建て込む前に垂直ネットを鉄骨柱（角柱）Ｐ，Ｐ’に設置することを特徴とする垂直ネット先行設置方法である。
○第１１の発明（請求項１１に記載の発明）
上記の課題を解決するための第１１の発明（請求項１１に記載の発明）は、
先行設置手段を使用して地上において垂直ネットを設置した鉄骨柱（角柱）Ｐ，Ｐ’を、地上において鉄骨柱Ｐ，Ｐ’に取付けた取付部３０が外側（建物外構側）となるように建て込むことを特徴とする請求項１０に記載された垂直ネット先行設置方法である。
○第１２の発明（請求項１２に記載の発明）
上記の課題を解決するための第１２の発明（請求項１２に記載の発明）は、
前記垂直ネットの内部で、鉄骨梁Ｂを架設することを特徴とする請求項１１に記載された垂直ネット先行設置方法である。
○第１３の発明（請求項１３に記載の発明）
上記の課題を解決するための第１３の発明（請求項１３に記載の発明）は、
鉄骨梁Ｂを架設した鉄骨柱Ｐ，Ｐ’の被覆ワイヤー用フックに被覆ワイヤーを取り付け、垂直ネットをスライダー部１０から被覆ワイヤーに付け替えることを特徴とする請求項１２に記載された垂直ネット先行設置方法である。
○第１４の発明（請求項１４に記載の発明）
上記の課題を解決するための第１４の発明（請求項１４に記載の発明）は、
垂直ネットが取り外されたスライダー部１０とスライダー収納部２０とを鉄骨柱Ｐ，Ｐ’から手作業で取り外し、クレーンで吊り下ろすことを特徴とする請求項１３に記載された垂直ネット先行設置方法である。
○第１５の発明（請求項１５に記載の発明）
上記の課題を解決するための第１５の発明（請求項１５に記載の発明）は、
先行設置手段（スライダー部１０とスライダー収納部２０と取付具３０との組み合せ１００）が、請求項１〜９の何れかに記載された先行設置手段（スライダー部１０とスライダー収納部２０と取付具３０との組み合せ１００）であることを特徴とする請求項１０〜１４の何れかに記載された垂直ネット先行設置方法である。
【発明の効果】
【０００７】
本発明に係る、スライダー部１０とスライダー収納部２０と取付具３０との組み合せ１００は、上記のような特徴的構成要件から構成され、特徴的構成要件に応じた、以下のような本願発明特有の効果を奏する。
また、上記の各発明に応じた、上記のような特徴的構成要件から構成されたスライダー部１０とスライダー収納部２０と取付具３０との組み合せ１００によれば、本願発明の課題を十分解消することができた。
○第１の発明の効果
第１の発明によれば、
内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することという特徴的な構成要件により、本発明が解決しようとする第１課題〜第３課題を達成することができ、当業者予測不可能な顕著な効果を奏することができた。
○第２の発明の効果
第２の発明によれば、
内管１１と外管２１が角パイプであって、内管１１が外管２１に対して距離ΔＬ（ｃｍ）毎に伸縮可能なように、内管１１には、２又は３以上の伸縮調節穴ｈ１が離隔距離ΔＬ（ｃｍ）毎に貫通されてなり、外管２１には、２つのストッパー穴ｈ２が離隔距離２ΔＬ（ｃｍ）に貫通されてなることという特徴的な構成要件により、本発明が解決しようとする第１課題〜第３課題を達成することができ、当業者予測不可能な顕著な効果を奏することができた。
○第３の発明の効果
第３の発明によれば、
スライダー収納部２０が、スライダー部１０の一部を伸縮可能に収納する外管２１と当該外管２１に接合されてなる垂直板２２からなると共に、当該外管２１と垂直板２２とが溶接等により接合されてなることという特徴的な構成要件により、本発明が解決しようとする第１課題〜第３課題を達成することができ、当業者予測不可能な顕著な効果を奏することができた。
○第４の発明の効果
第４の発明によれば、
取付具３０が、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成されることという特徴的な構成要件により、本発明が解決しようとする第１課題〜第３課題を達成することができ、当業者予測不可能な顕著な効果を奏することができた。
○第５の発明の効果
第５の発明によれば、
内管１１と外管２１が角パイプであって、内管１１が伸び切った場合に、内管１１に２つのストッパー穴ｈ２、外管２１に２つのストッパー穴ｈ２が、貫通されてなると共に、２つのストッパー穴ｈ２の離隔距離が２ΔＬ（ｃｍ）であることという特徴的な構成要件により、本発明が解決しようとする第１課題〜第３課題を達成することができ、当業者予測不可能な顕著な効果を奏することができた。
○第６の発明の効果
第６の発明によれば、
伸縮調節穴ｈ１又は／及びストッパー穴ｈ２に、リベットピンｌｐを挿入して内管１１と外管２１が伸縮制限されてなることという特徴的な構成要件により、本発明が解決しようとする第１課題〜第３課題を達成することができ、当業者予測不可能な顕著な効果を奏することができた。
○第７の発明の効果
第７の発明によれば、
垂直板２２が垂直板収納凹部３１に収納された場合、垂直板２２が垂直板収納凹部３１を貫通してなるとともに、垂直板２２の下端のスナップピン穴ｈ３にスナップピンｐ３を挿入してなることという特徴的な構成要件により、本発明が解決しようとする第１課題〜第３課題を達成することができ、当業者予測不可能な顕著な効果を奏することができた。
○第８の発明の効果
第８の発明によれば、
スライダー収納部２０が、スライダー部１０を左側、又は、右側、又は、左右両側に取付けてなることという特徴的な構成要件により、本発明が解決しようとする第１課題〜第３課題を達成することができ、当業者予測不可能な顕著な効果を奏することができた。
○第９の発明の効果
第９の発明によれば、
請求項１〜８の何れかに記載されたスライダー部１０とスライダー収納部２０と取付具３０との組み合せに、垂直ネットを加えた組合せという特徴的な構成要件により、本発明が解決しようとする第１課題〜第３課題を達成することができ、当業者予測不可能な顕著な効果を奏することができた。
○第１０の発明の効果
第１０の発明によれば、
鉄骨柱（角柱）Ｐ，Ｐ’を建て込む前であって、かつ、鉄骨柱（角柱）Ｐ，Ｐ’が地上にある場合において、鉄骨柱（角柱）Ｐ，Ｐ’を建て込む前に地上において、クレーン等の重機を使用することなく全て手作業で先行設置手段（スライダー部１０とスライダー収納部２０と取付具３０との組み合せ１００。）を使用して垂直ネットを設置することによって、安全かつ簡便に、鉄骨柱（角柱）Ｐ，Ｐ’を建て込む前に垂直ネットを鉄骨柱（角柱）に設置することという特徴的な構成要件により、本発明が解決しようとする第１課題〜第３課題を達成することができ、当業者予測不可能な顕著な効果を奏することができた。
○第１１の発明の効果
第１１の発明によれば、
先行設置手段を使用して地上において垂直ネットを設置した鉄骨柱（角柱）Ｐ，Ｐ’を、地上において鉄骨柱Ｐ，Ｐ’に取付けた取付部３０が外側（建物外構側）となるように建て込むことという特徴的な構成要件により、本発明が解決しようとする第１課題〜第３課題を達成することができ、当業者予測不可能な顕著な効果を奏することができた。
○第１２の発明の効果
第１２の発明によれば、
前記垂直ネットの内部で、鉄骨梁Ｂを架設することという特徴的な構成要件により、本発明が解決しようとする第１課題〜第３課題を達成することができ、当業者予測不可能な顕著な効果を奏することができた。
○第１３の発明の効果
第１３の発明によれば、
鉄骨梁Ｂを架設した鉄骨柱Ｐ，Ｐ’の被覆ワイヤー用フックに被覆ワイヤーを取り付け、垂直ネットをスライダー部１０から被覆ワイヤーに付け替えることという特徴的な構成要件により、本発明が解決しようとする第１課題〜第３課題を達成することができ、当業者予測不可能な顕著な効果を奏することができた。
○第１４の発明の効果
第１４の発明によれば、
垂直ネットが取り外されたスライダー部１０とスライダー収納部２０とを鉄骨柱Ｐ，Ｐ’から手作業で取り外し、クレーンで吊り下ろすことという特徴的な構成要件により、本発明が解決しようとする第１課題〜第３課題を達成することができ、当業者予測不可能な顕著な効果を奏することができた。
○第１５の発明の効果
第１５の発明によれば、
先行設置手段（スライダー部１０とスライダー収納部２０と取付具３０との組み合せ１００）が、請求項１〜９の何れかに記載された先行設置手段（スライダー部１０とスライダー収納部２０と取付具３０との組み合せ１００）であることという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、スライダー部１０とスライダー収納部２０と取付具３０との組み合せ１００に関する最良の実施形態について、図面を参照しながら説明する。
［図１］  図１は、本発明に係る、スライダー部１０を表す図面である。（Ａ）図は、スライダー部１０（右側タイプ）を表す平面図である。（Ｂ）図は、スライダー部１０（右側タイプ）を表す正面図である。
［図２］  図２は、本発明に係る、スライダー部１０を表す図面である。（Ａ）図は、スライダー部１０（左側タイプ）を表す正面図である。（Ｂ）図は、スライダー部１０（左側タイプ）を表す平面図である。
［図３］  図３は、本発明に係る、スライダー収納部２０を表す図面である。（Ａ）図は、スライダー収納部２０（両側タイプ）を表す平面図である。（Ｂ）図は、スライダー収納部２０（両側タイプ）を表す正面図である。
［図４］  図４は、本発明に係る、スライダー収納部２０を表す図面である。（Ａ）図は、スライダー収納部２０（左側タイプ）を表す正面図である。（Ｂ）図は、スライダー収納部２０（右側タイプ）を表す正面図である。
［図５］  図５は、本発明に係る、取付具３０を表す図面である。（Ａ）図は、取付具３０を表す平面図である。（Ｂ）図は、取付具３０を表す正面図である。
［図６］  図６は、鉄骨柱（角柱）が地上にある場合において、本発明に係る、先行設置手段を鉄骨柱（角柱）に設置する工程の状態図を表している。本発明に係る、先行設置手段を鉄骨柱（角柱）に設置する工程は全て地上においてクレーン等の重機を使うことなく手作業にて簡便になされる。取付具３０が、鉄骨柱（角柱）Ｐに、スミ肉溶接等により接合される。スライダー部１０の内管１１の一部を、外管２１に伸縮可能に収納させる。スライダー収納部２０の外管２１に接合されてなる垂直板２２を、取付具３０の垂直板収納凹部３１の中に挿入させて収納する。なお、図７の中に示されたｘｙｚ座標系は、鉄骨柱（角柱）が地上にある場合（横たわった状態である）において、ｘ方向、ｙ方向は、水平方向であり、ｚ方向は垂直（反重力）方向である。鉄骨柱（角柱）が建て込んだ状態では、ｙ方向が垂直方向になり、ｚ方向が水平方向になる（すなわち、紙面視、上方向がｙ方向になる。）。
［図７］  図７は、鉄骨柱（角柱）が地上にある場合において、本発明に係る、先行設置手段を鉄骨柱（角柱）に設置した後に、先行設置手段に垂直ネットを取付ける工程の状態図を表している。本発明に係る、先行設置手段に垂直ネットを取付ける工程は全て地上においてクレーン等の重機を使うことなく手作業にて簡便になされる。垂直ネットに取付けられた紐をスライダー部のネット取付具１２を括り付けてることにより、先行設置手段に垂直ネットを取付ける。これにより、鉄骨柱（角柱）Ｐに、スミ肉溶接等により接合される。スライダー部１０の内管１１の一部を、外管２１に伸縮可能に収納させる。スライダー収納部２０の外管２１に接合されてなる垂直板２２を、取付具３０の垂直板収納凹部３１の中に挿入させて収納させる。  鉄骨柱（角柱）を建て込む前であって、かつ、鉄骨柱（角柱）が地上にある場合において、鉄骨柱（角柱）を建て込む前に地上において、クレーン等の重機を使用することなく全て手作業で先行設置手段を使用して垂直ネットを設置することによって、安全かつ簡便に、鉄骨柱（角柱）を建て込む前に垂直ネットを鉄骨柱（角柱）に設置する先行設置手段を提供すること（すなわち、本発明の第１課題）を達成することができた。なお、図７の中に示されたｘｙｚ座標系は、鉄骨柱（角柱）が地上にある場合（横たわった状態である）において、ｘ方向、ｙ方向は、水平方向であり、ｚ方向は垂直（反重力）方向である。鉄骨柱（角柱）が建て込んだ状態では、ｙ方向が垂直方向になり、ｚ方向が水平方向になる（すなわち、紙面視、上方向がｙ方向になる。）。
［図８］  図８は、建て込んだ鉄骨柱（角柱）に取付ける垂直ネットの必要な範囲の考え方を示す図である。（Ａ）図は、建て込んだ鉄骨柱（角柱）Ｐ’、Ｐの位置関係、及び、垂直ネットの必要な範囲を表す平面図である。建て込んだ鉄骨柱（角柱）Ｐ、Ｐ’は、それぞれ、標準タイプ（コーナータイプでない）鉄骨柱（角柱）、コーナータイプの（コーナーの位置にある）鉄骨柱（角柱）である。（Ｂ）図は、建て込んだ鉄骨柱（角柱）Ｐ’、Ｐの位置関係、及び、垂直ネットの必要な範囲を表す正面図である。垂直ネットの必要な範囲は、鉄骨柱（角柱）Ｐ（標準タイプ）は、幅Ｗ（ｃｍ）の範囲であり、鉄骨柱（角柱）Ｐ’（コーナータイプ）は、幅Ｗ’（ｃｍ）の範囲であり、隙間ΔＷ（ｃｍ）の範囲は、垂直ネットを必要としない。この理由は、鉄骨建方作業において、外周部の鉄骨梁を取り付ける際には垂直ネットが設置されていないため、ボルトや工具等が落下すると、建設敷地内のみならず、外部に落下することがあり、工事関係者だけでなく、歩行者や通行車両等の第三者にとっても危険であったことから分るように、外周部の鉄骨梁を取り付ける際に、ボルトや工具等が落下するのであり、隙間ΔＷ（ｃｍ）の範囲は、ボルトや工具等が落下するおそれがなく、垂直ネットを必要としない。発明者は、隙間ΔＷ（ｃｍ）の範囲は、ボルトや工具等が落下するおそれがなく、垂直ネットを必要としないことに初めて気が付き、鉄骨柱を建て込む前であって、かつ、鉄骨柱が地上にある場合において、鉄骨柱を建て込む前に地上において、垂直ネットをクレーン等の重機を使用することなく全て手作業で設置することによって、安全かつ簡便に、鉄骨梁を取付ける前に設置する垂直ネット先行設置手段を提供するという本発明を想到した。
［図９］  図９は、従来技術（［特許文献１］特開２０１６−２１１２３４号公報の図４）の技術内容を開示している。鉄骨柱の頂部に、該鉄骨柱の外周から突出する固定部を有する垂直ネット設置治具を取り付ける工程（第１の工程）を開示している。
［図１０］  図１０は、従来技術（［特許文献１］特開２０１６−２１１２３４号公報の図５）の技術内容を開示している。垂直ネットが固定された棒部材の両端それぞれを、隣接する前記鉄骨柱の前記固定部に取り付ける工程（第２の工程）を開示している。従来技術では、垂直ネットが鉄骨柱の間は、隙間ΔＷ（Ｃｍ）もなく完全に貼られているのに対して、本発明では、垂直ネットが鉄骨柱の間は、隙間ΔＷ（ｃｍ）を許容している。外周部の鉄骨梁を取り付ける作業は鉄骨柱の廻りに限定されるので、隙間ΔＷ（ｃｍ）の範囲ではボルトや工具等が落下するおそれがないからである。
［図１１］  図１１は、従来技術（［特許文献１］特開２０１６−２１１２３４号公報の図６）の技術内容を開示している。図１１で開示している鉄骨柱建込み工程は、改良を必要としない工程（図１１を参照）である。
［図１２］  図１２は、従来技術（［特許文献１］特開２０１６−２１１２３４号公報の図７）の技術内容を開示している。「鉄骨柱の頂部に、該鉄骨柱の外周から突出する固定部を有する垂直ネット設置治具を取り付ける工程（第１の工程）」を採用すると、鉄骨柱の頂部に、垂直ネット設置治具を溶接等で取り付ける必要があり、かつ、鉄骨柱Ｐ上に上節柱となる別の鉄骨柱を接合するためには、鉄骨柱の頂部に取付けられた、該鉄骨柱の外周から突出する固定部を有する垂直ネット設置治具を取り除く工程が必要となるが、当該、鉄骨柱の頂部に取付けられた、該鉄骨柱の外周から突出する固定部を有する垂直ネット設置治具を取り除く工程は、クレーン等の重機を必要とし、鉄骨柱の頂部に、溶接等で取付けられた垂直ネット設置治具を取り除くことは煩雑であり、地上でかつ手作業にて安全かつ簡便に行うことはできないという従来技術の欠点を有していた。
［図１３］  図１３は、請求項２に記載された発明を説明する図面である。図１３の左図は、図４（Ａ）図の、スライダー収納部２０（左側タイプ）を表す正面図である。図１３の右図は、図２（Ａ）図の、スライダー部１０（左側タイプ）を表す正面図である。  図１３は、左側のスライダー収納部２０へ右側のスライダー部１０を挿入しようとする状態を表している。内管１１と外管２１が角パイプであって、内管１１が外管２１に対して距離ΔＬ（ｃｍ）毎に伸縮可能なように、内管１１には、２又は３以上の伸縮調節穴ｈ１が距離ΔＬ（ｃｍ）毎に貫通されてなり、外管２１には、２つのストッパー穴ｈ２が距離２ΔＬ（ｃｍ）に貫通されてなる。内管１１の外管２１に対する位置が調節可能になるように、距離ΔＬ（ｃｍ）毎離れた内管１１の２つのストッパー穴ｈ２（図１３では、イとロ）と距離２ΔＬ（ｃｍ）離れた外管２１の２つのストッパー穴ｈ２の中心が合わされ、リベットピンｌｐを挿入して一対の穴の位置が固定される。すなわち、内管１１の管端がストッパー穴ｈ２（ロ）の中心から距離Ｌ０（ｃｍ）の位置に動かないように固定される。
［図１４］  図１４は、内管１１が外管２１に対して伸び切った状態を表す図である。内管１１が外管２１に対して伸び切った状態にあっても、ネットの荷重Ｑ（ｋｇ重）によるモーメントを支えるために、（１）２つのストッパー穴ｈ２の離隔距離を２ΔＬ（ｃｍ）とし、伸縮調節穴ｈ１の離隔距離ΔＬ（ｃｍ）より大きくしてある。（２）内管１１の２つのストッパー穴ｈ２が、外管２１の２つのストッパー穴ｈ２の位置が一致するように外管２１の中に納まるようにしてある。内管１１の２つのストッパー穴ｈ２と外管２１の２つのストッパー穴ｈ２に、リベットピンｌｐを挿入して内管１１と外管２１が伸縮制限されてなる。
以下、本発明に係る、スライダー部１０とスライダー収納部２０と取付具３０との組み合せ１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することを特徴とするスライダー部１０とスライダー収納部２０と取付具３０との組み合せ１００が開示されている。
○第１の発明の効果
第１の発明によれば、
内管１１からなるスライダー部１０と、スライダー部１０の内管１１の一部を伸縮可能に収納する外管２１からなるスライダー収納部２０と、スライダー部１０とスライダー収納部２０を角柱Ｐに取付けるための取付具３０との組み合せにおいて、垂直板２２がスライダー収納部２０の外管２１に接合されてなると共に、垂直板２２が収納される垂直板収納凹部３１を有することという特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
内管１１と外管２１が角パイプであって、内管１１が外管２１に対して距離ΔＬ（ｃｍ）毎に伸縮可能なように、内管１１には、２又は３以上の伸縮調節穴ｈ１が離隔距離ΔＬ（ｃｍ）毎に貫通されてなり、外管２１には、２つのストッパー穴ｈ２が離隔距離２ΔＬ（ｃｍ）に貫通されてなることを特徴とする請求項１に記載されたスライダー部１０とスライダー収納部２０と取付具３０との組み合せ１００が開示されている。
○第２の発明の効果
第２の発明によれば、
内管１１と外管２１が角パイプであって、内管１１が外管２１に対して距離ΔＬ（ｃｍ）毎に伸縮可能なように、内管１１には、２又は３以上の伸縮調節穴ｈ１が離隔距離ΔＬ（ｃｍ）毎に貫通されてなり、外管２１には、２つのストッパー穴ｈ２が離隔距離２ΔＬ（ｃｍ）に貫通されてなることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
スライダー収納部２０が、スライダー部１０の一部を伸縮可能に収納する外管２１と当該外管２１に接合されてなる垂直板２２からなると共に、当該外管２１と垂直板２２とが溶接等により接合されてなることを特徴とする請求項１〜２の何れかに記載されたスライダー部１０とスライダー収納部２０と取付具３０との組み合せ１００が開示されている。
○第３の発明の効果
第３の発明によれば、
スライダー収納部２０が、スライダー部１０の一部を伸縮可能に収納する外管２１と当該外管２１に接合されてなる垂直板２２からなると共に、当該外管２１と垂直板２２とが溶接等により接合されてなることという特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
取付具３０が、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成されることを特徴とする請求項１〜３の何れかに記載されたスライダー部１０とスライダー収納部２０と取付具３０との組み合せ１００が開示されている。
○第４の発明の効果
第４の発明によれば、
取付具３０が、高さＨ（ｃｍ）の角柱接触板３０１、角柱接触板３０１と直交する側板３０２と角柱接触板３０１と平行な前面板３０３からなると共に、
垂直板２２が収納される垂直板収納凹部３１が、角柱接触板３０１、角柱接触板３０１と直交する側板３０２と角柱接触板３０１と平行な前面板３０３と、取付具３０が角柱Ｐに取付けられた場合の角柱Ｐの面とで構成されることという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
内管１１と外管２１が角パイプであって、内管１１が伸び切った場合に、内管１１に２つのストッパー穴ｈ２、外管２１に２つのストッパー穴ｈ２が、貫通されてなると共に、２つのストッパー穴ｈ２の離隔距離が２ΔＬ（ｃｍ）であることを特徴とする請求項１〜４の何れかに記載されたスライダー部１０とスライダー収納部２０と取付具３０との組み合せ１００が開示されている。
○第５の発明の効果
第５の発明によれば、
内管１１と外管２１が角パイプであって、内管１１が伸び切った場合に、内管１１に２つのストッパー穴ｈ２、外管２１に２つのストッパー穴ｈ２が、貫通されてなると共に、２つのストッパー穴ｈ２の離隔距離が２ΔＬ（ｃｍ）であることという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
伸縮調節穴ｈ１又は／及びストッパー穴ｈ２に、リベットピンｌｐを挿入して内管１１と外管２１が伸縮制限されてなることを特徴とする請求項１〜５の何れかに記載されたスライダー部１０とスライダー収納部２０と取付具３０との組み合せ１００が開示されている。
○第６の発明の効果
第６の発明によれば、
伸縮調節穴ｈ１又は／及びストッパー穴ｈ２に、リベットピンｌｐを挿入して内管１１と外管２１が伸縮制限されてなることという特徴的な構成要件により、本発明が解決しようとする第１課題〜第３課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
垂直板２２が垂直板収納凹部３１に収納された場合、垂直板２２が垂直板収納凹部３１を貫通してなるとともに、垂直板２２の下端のスナップピン穴ｈ３にスナップピンｐ３を挿入してなることを特徴とする請求項１〜６の何れかに記載されたスライダー部１０とスライダー収納部２０と取付具３０との組み合せ１００が開示されている。
○第７の発明の効果
第７の発明によれば、
垂直板２２が垂直板収納凹部３１に収納された場合、垂直板２２が垂直板収納凹部３１を貫通してなるとともに、垂直板２２の下端のスナップピン穴ｈ３にスナップピンｐ３を挿入してなることという特徴的な構成要件により、本発明が解決しようとする第１課題〜第３課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
スライダー収納部２０が、スライダー部１０を左側、又は、右側、又は、左右両側に取付けてなることを特徴とする請求項１〜７の何れかに記載されたスライダー部１０とスライダー収納部２０と取付具３０との組み合せ１００が開示されている。
○第８の発明の効果
第８の発明によれば、
スライダー収納部２０が、スライダー部１０を左側、又は、右側、又は、左右両側に取付けてなることという特徴的な構成要件により、本発明が解決しようとする第１課題〜第３課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライダー部１０とスライダー収納部２０と取付具３０との組み合せ１００において、
請求項１〜８の何れかに記載されたスライダー部１０とスライダー収納部２０と取付具３０との組み合せに、垂直ネットを加えた組合せが開示されている。
○第９の発明の効果
第９の発明によれば、
請求項１〜８の何れかに記載されたスライダー部１０とスライダー収納部２０と取付具３０との組み合せに、垂直ネットを加えた組合せという特徴的な構成要件により、本発明が解決しようとする第１課題〜第３課題を達成することができ、当業者予測不可能な顕著な効果を奏することができた。
１０１０１０＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
鉄骨柱（角柱）Ｐ，Ｐ’を建て込む前であって、かつ、鉄骨柱（角柱）Ｐ，Ｐ’が地上にある場合において、鉄骨柱（角柱）Ｐ，Ｐ’を建て込む前に地上において、クレーン等の重機を使用することなく全て手作業で先行設置手段（スライダー部１０とスライダー収納部２０と取付具３０との組み合せ１００。）を使用して垂直ネットを設置することによって、安全かつ簡便に、鉄骨柱（角柱）Ｐ，Ｐ’を建て込む前に垂直ネットを鉄骨柱（角柱）に設置することを特徴とする垂直ネット先行設置方法が開示されている。
○第１０の発明の効果
第１０の発明によれば、
鉄骨柱（角柱）Ｐ，Ｐ’を建て込む前であって、かつ、鉄骨柱（角柱）Ｐ，Ｐ’が地上にある場合において、鉄骨柱（角柱）Ｐ，Ｐ’を建て込む前に地上において、クレーン等の重機を使用することなく全て手作業で先行設置手段（スライダー部１０とスライダー収納部２０と取付具３０との組み合せ１００。）を使用して垂直ネットを設置することによって、安全かつ簡便に、鉄骨柱（角柱）Ｐ，Ｐ’を建て込む前に垂直ネットを鉄骨柱（角柱）に設置することという特徴的な構成要件により、本発明が解決しようとする第１課題〜第３課題を達成することができ、当業者予測不可能な顕著な効果を奏することができた。
１１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
先行設置手段を使用して地上において垂直ネットを設置した鉄骨柱（角柱）Ｐ，Ｐ’を、地上において鉄骨柱Ｐ，Ｐ’に取付けた取付部３０が外側（建物外構側）となるように建て込むことを特徴とする請求項１０に記載された垂直ネット先行設置方法が開示されている。
○第１１の発明の効果
第１１の発明によれば、
先行設置手段を使用して地上において垂直ネットを設置した鉄骨柱（角柱）Ｐ，Ｐ’を、地上において鉄骨柱Ｐ，Ｐ’に取付けた取付部３０が外側（建物外構側）となるように建て込むことという特徴的な構成要件により、本発明が解決しようとする第１課題〜第３課題を達成することができ、当業者予測不可能な顕著な効果を奏することができた。
１２１２１２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
前記垂直ネットの内部で、鉄骨梁Ｂを架設することを特徴とする請求項１１に記載された垂直ネット先行設置方法が開示されている。
○第１２の発明の効果
第１２の発明によれば、
前記垂直ネットの内部で、鉄骨梁Ｂを架設することという特徴的な構成要件により、本発明が解決しようとする第１課題〜第３課題を達成することができ、当業者予測不可能な顕著な効果を奏することができた。
１３１３１３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
鉄骨梁Ｂを架設した鉄骨柱Ｐ，Ｐ’の被覆ワイヤー用フックに被覆ワイヤーを取り付け、垂直ネットをスライダー部１０から被覆ワイヤーに付け替えることを特徴とする請求項１２に記載された垂直ネット先行設置方法が開示されている。
○第１３の発明の効果
第１３の発明によれば、
鉄骨梁Ｂを架設した鉄骨柱Ｐ，Ｐ’の被覆ワイヤー用フックに被覆ワイヤーを取り付け、垂直ネットをスライダー部１０から被覆ワイヤーに付け替えることという特徴的な構成要件により、本発明が解決しようとする第１課題〜第３課題を達成することができ、当業者予測不可能な顕著な効果を奏することができた。
１４１４１４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
垂直ネットが取り外されたスライダー部１０とスライダー収納部２０とを鉄骨柱Ｐ，Ｐ’から手作業で取り外し、クレーンで吊り下ろすことを特徴とする請求項１３に記載された垂直ネット先行設置方法が開示されている。
○第１４の発明の効果
第１４の発明によれば、
垂直ネットが取り外されたスライダー部１０とスライダー収納部２０とを鉄骨柱Ｐ，Ｐ’から手作業で取り外し、クレーンで吊り下ろすことという特徴的な構成要件により、本発明が解決しようとする第１課題〜第３課題を達成することができ、当業者予測不可能な顕著な効果を奏することができた。
１５１５１５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の垂直ネット先行設置方法において、
前記垂直ネットの内部で、鉄骨梁Ｂを架設することを特徴とする請求項１０〜１４の何れかに記載された垂直ネット先行設置方法が開示されている。
○第１５の発明の効果
第１５の発明によれば、
先行設置手段（スライダー部１０とスライダー収納部２０と取付具３０との組み合せ１００）が、請求項１〜９の何れかに記載された先行設置手段（スライダー部１０とスライダー収納部２０と取付具３０との組み合せ１００）であることという特徴的な構成要件により、本発明が解決しようとする第１課題〜第３課題を達成することができ、当業者予測不可能な顕著な効果を奏することができた。
【図面の簡単な説明】
【０００９】
【図１】図１は、本発明に係る、スライダー部１０を表す図面である。（Ａ）図は、スライダー部１０（右側タイプ）を表す平面図である。（Ｂ）図は、スライダー部１０（右側タイプ）を表す正面図である。
【図２】図２は、本発明に係る、スライダー部１０を表す図面である。（Ａ）図は、スライダー部１０（左側タイプ）を表す正面図である。（Ｂ）図は、スライダー部１０（左側タイプ）を表す平面図である。
【図３】図３は、本発明に係る、スライダー収納部２０を表す図面である。（Ａ）図は、スライダー収納部２０（両側タイプ）を表す平面図である。（Ｂ）図は、スライダー収納部２０（両側タイプ）を表す正面図である。
【図４】図４は、本発明に係る、スライダー収納部２０を表す図面である。（Ａ）図は、スライダー収納部２０（左側タイプ）を表す正面図である。（Ｂ）図は、スライダー収納部２０（右側タイプ）を表す正面図である。
【図５】図５は、本発明に係る、取付具３０を表す図面である。（Ａ）図は、取付具３０を表す平面図である。（Ｂ）図は、取付具３０を表す正面図である。
【図６】図６は、鉄骨柱（角柱）が地上にある場合において、本発明に係る、先行設置手段を鉄骨柱（角柱）に設置する工程の状態図を表している。本発明に係る、先行設置手段を鉄骨柱（角柱）に設置する工程は全て地上においてクレーン等の重機を使うことなく手作業にて簡便になされる。取付具３０が、鉄骨柱（角柱）Ｐに、スミ肉溶接等により接合される。スライダー部１０の内管１１の一部を、外管２１に伸縮可能に収納させる。スライダー収納部２０の外管２１に接合されてなる垂直板２２を、取付具３０の垂直板収納凹部３１の中に挿入させて収納する。なお、図７の中に示されたｘｙｚ座標系は、鉄骨柱（角柱）が地上にある場合（横たわった状態である）において、ｘ方向、ｙ方向は、水平方向であり、ｚ方向は垂直（反重力）方向である。鉄骨柱（角柱）が建て込んだ状態では、ｙ方向が垂直方向になり、ｚ方向が水平方向になる（すなわち、紙面視、上方向がｙ方向になる。）。
【図７】図７は、鉄骨柱（角柱）が地上にある場合において、本発明に係る、先行設置手段を鉄骨柱（角柱）に設置した後に、先行設置手段に垂直ネットを取付ける工程の状態図を表している。本発明に係る、先行設置手段に垂直ネットを取付ける工程は全て地上においてクレーン等の重機を使うことなく手作業にて簡便になされる。垂直ネットに取付けられた紐をスライダー部のネット取付具１２を括り付けることにより、先行設置手段に垂直ネットを取付ける。これにより、鉄骨柱（角柱）Ｐに、スミ肉溶接等により接合される。スライダー部１０の内管１１の一部を、外管２１に伸縮可能に収納させる。スライダー収納部２０の外管２１に接合されてなる垂直板２２を、取付具３０の垂直板収納凹部３１の中に挿入させて収納させる。鉄骨柱（角柱）を建て込む前であって、かつ、鉄骨柱（角柱）が地上にある場合において、鉄骨柱（角柱）を建て込む前に地上において、クレーン等の重機を使用することなく全て手作業で先行設置手段を使用して垂直ネットを設置することによって、安全かつ簡便に、鉄骨柱（角柱）を建て込む前に垂直ネットを鉄骨柱（角柱）に設置する先行設置手段を提供すること（すなわち、本発明の第１課題）を達成することができた。なお、図７の中に示されたｘｙｚ座標系は、鉄骨柱（角柱）が地上にある場合（横たわった状態である）において、ｘ方向、ｙ方向は、水平方向であり、ｚ方向は垂直（反重力）方向である。鉄骨柱（角柱）が建て込んだ状態では、ｙ方向が垂直方向になり、ｚ方向が水平方向になる（すなわち、紙面視、上方向がｙ方向になる。）。
【図８】図８は、建て込んだ鉄骨柱（角柱）に取付ける垂直ネットの必要な範囲の考え方を示す図である。（Ａ）図は、建て込んだ鉄骨柱（角柱）Ｐ’、Ｐの位置関係、及び、垂直ネットの必要な範囲を表す平面図である。建て込んだ鉄骨柱（角柱）Ｐ、Ｐ’は、それぞれ、標準タイプ（コーナータイプでない）鉄骨柱（角柱）、コーナータイプの（コーナーの位置にある）鉄骨柱（角柱）である。（Ｂ）図は、建て込んだ鉄骨柱（角柱）Ｐ’、Ｐの位置関係、及び、垂直ネットの必要な範囲を表す正面図である。垂直ネットの必要な範囲は、鉄骨柱（角柱）Ｐ（標準タイプ）は、幅Ｗ（ｃｍ）の範囲であり、鉄骨柱（角柱）Ｐ’（コーナータイプ）は、幅Ｗ’（ｃｍ）の範囲であり、隙間ΔＷ（ｃｍ）の範囲は、垂直ネットを必要としない。この理由は、鉄骨建方作業において、外周部の鉄骨梁を取り付ける際には垂直ネットが設置されていないため、ボルトや工具等が落下すると、建設敷地内のみならず、外部に落下することがあり、工事関係者だけでなく、歩行者や通行車両等の第三者にとっても危険であったことから分るように、外周部の鉄骨梁を取り付ける際に、ボルトや工具等が落下するのであり、隙間ΔＷ（ｃｍ）の範囲は、ボルトや工具等が落下するおそれがなく、垂直ネットを必要としない。発明者は、隙間ΔＷ（ｃｍ）の範囲は、ボルトや工具等が落下するおそれがなく、垂直ネットを必要としないことに初めて気が付き、鉄骨柱を建て込む前であって、かつ、鉄骨柱が地上にある場合において、鉄骨柱を建て込む前に地上において、垂直ネットをクレーン等の重機を使用することなく全て手作業で設置することによって、安全かつ簡便に、鉄骨梁を取付ける前に設置する垂直ネット先行設置手段を提供するという本発明を想到した。
【図９】図９は、従来技術（［特許文献１］特開２０１６−２１１２３４号公報の図４）の技術内容を開示している。鉄骨柱の頂部に、該鉄骨柱の外周から突出する固定部を有する垂直ネット設置治具を取り付ける工程（第１の工程）を開示している。
【図１０】図１０は、従来技術（［特許文献１］特開２０１６−２１１２３４号公報の図５）の技術内容を開示している。垂直ネットが固定された棒部材の両端それぞれを、隣接する前記鉄骨柱の前記固定部に取り付ける工程（第２の工程）を開示している。従来技術では、垂直ネットが鉄骨柱の間は、隙間ΔＷ（ｃｍ）もなく完全に貼られているのに対して、本発明では、垂直ネットが鉄骨柱の間は、隙間ΔＷ（ｃｍ）を許容している。外周部の鉄骨梁を取り付ける作業は鉄骨柱の廻りに限定されるので、隙間ΔＷ（ｃｍ）の範囲ではボルトや工具等が落下するおそれがないからである。
【図１１】図１１は、従来技術（［特許文献１］特開２０１６−２１１２３４号公報の図６）の技術内容を開示している。図１１で開示している鉄骨柱建込み工程は、改良を必要としない工程（図１１を参照）である。
【図１２】図１２は、従来技術（［特許文献１］特開２０１６−２１１２３４号公報の図７）の技術内容を開示している。「鉄骨柱の頂部に、該鉄骨柱の外周から突出する固定部を有する垂直ネット設置治具を取り付ける工程（第１の工程）」を採用すると、鉄骨柱の頂部に、垂直ネット設置治具を溶接等で取り付ける必要があり、かつ、鉄骨柱Ｐ上に上節柱となる別の鉄骨柱を接合するためには、鉄骨柱の頂部に取付けられた、該鉄骨柱の外周から突出する固定部を有する垂直ネット設置治具を取り除く工程が必要となるが、当該、鉄骨柱の頂部に取付けられた、該鉄骨柱の外周から突出する固定部を有する垂直ネット設置治具を取り除く工程は、クレーン等の重機を必要とし、鉄骨柱の頂部に、溶接等で取付けられた垂直ネット設置治具を取り除くことは煩雑であり、地上でかつ手作業にて安全かつ簡便に行うことはできないという従来技術の欠点を有していた。
【図１３】図１３は、請求項２に記載された発明を説明する図面である。図１３の左図は、図４（Ａ）図の、スライダー収納部２０（左側タイプ）を表す正面図である。図１３の右図は、図２（Ａ）図の、スライダー部１０（左側タイプ）を表す正面図である。  図１３は、左側のスライダー収納部２０へ右側のスライダー部１０を挿入しようとする状態を表している。内管１１と外管２１が角パイプであって、内管１１が外管２１に対して距離ΔＬ（ｃｍ）毎に伸縮可能なように、内管１１には、２又は３以上の伸縮調節穴ｈ１が距離ΔＬ（ｃｍ）毎に貫通されてなり、外管２１には、２つのストッパー穴ｈ２が距離２ΔＬ（ｃｍ）に貫通されてなる。内管１１の外管２１に対する位置が調節可能になるように、距離ΔＬ（ｃｍ）毎離れた内管１１の２つのストッパー穴ｈ２（図１３では、イとロ）と距離２ΔＬ（ｃｍ）離れた外管２１の２つのストッパー穴ｈ２の中心が合わされ、リベットピンｌｐを挿入して一対の穴の位置が固定される。すなわち、内管１１の管端がストッパー穴ｈ２（ロ）の中心から距離Ｌ０（ｃｍ）の位置に動かないように固定される。
【図１４】図１４は、内管１１が外管２１に対して伸び切った状態を表す図である。内管１１が外管２１に対して伸び切った状態にあっても、ネットの荷重Ｑ（ｋｇ重）によるモーメントを支えるために、（１）２つのストッパー穴ｈ２の離隔距離を２ΔＬ（ｃｍ）とし、伸縮調節穴ｈ１の離隔距離ΔＬ（ｃｍ）より大きくしてある。（２）内管１１の２つのストッパー穴ｈ２が、外管２１の２つのストッパー穴ｈ２の位置が一致するように外管２１の中に納まるようにしてある。内管１１の２つのストッパー穴ｈ２と外管２１の２つのストッパー穴ｈ２に、リベットピンｌｐを挿入して内管１１と外管２１が伸縮制限されてなる。
【符号の説明】
【００１０】
１０……スライダー部
２０……スライダー収納部
３０……取付具
Ｐ……鉄骨柱（角柱）
１１……内管
２１……外管
２２……垂直板
３１……垂直板収納凹部
３０１……角柱接触板
３０２……側板
３０３……前面板
ｈ１……伸縮調節穴
ｌｐ……リベットピン
ｈ２……ストッパー穴
ｈ３……スナップピン穴
ｐ３……スナップピン
Ｐ……標準タイプの鉄骨柱（角柱）
Ｐ’……コーナータイプの鉄骨柱（角柱）
ΔＬ（ｃｍ）……距離ΔＬ（ｃｍ）
Ｈ（ｃｍ）……角柱接触板３０１、側板３０２と前面板３０３の高さ（ｃｍ）
Ｗ（ｃｍ）……鉄骨柱（角柱）Ｐ（標準タイプ）が必要とする垂直ネットの範囲の幅（ｃｍ）
Ｗ’（ｃｍ）……鉄骨柱（角柱）Ｐ’（コーナータイプ）が必要とする垂直ネットの範囲の幅（ｃｍ）
ΔＷ（ｃｍ）……鉄骨柱（角柱）Ｐ、Ｐ’（標準タイプ、コーナータイプ）が必要としない垂直ネットの範囲の幅（ｃｍ）、すなわち、垂直ネットの隙間（ｃｍ）
【図１】
2020172847.tif 000003
【図２】
2020172847.tif 000004
【図３】
2020172847.tif 000005
【図４】
2020172847.tif 000006
【図５】
2020172847.tif 000007
【図６】
2020172847.tif 000008
【図７】
2020172847.tif 000009
【図８】
2020172847.tif 000010
【図９】
2020172847.tif 000011
【図１０】
2020172847.tif 000012
【図１１】
2020172847.tif 000013
【図１２】
2020172847.tif 000014
【図１３】
2020172847.tif 000015
【図１４】
2020172847.tif 000016